(57)【要約】【課題】ランプホルダの着脱作業性が向上するとともに、ランプが反射板の傾斜方向に配設されているので照明器具の高さ方向の厚みが薄型となる照明器具を提供する。【解決手段】器具本体１と、器具本体１に取り付けられ断面略皿状の反射板２と、反射板２に設けられた凹没部３と、凹没部３と螺着され断面略Ｃ字状のランプホルダ４と、ランプホルダ４に保持される環形蛍光ランプ５と、を備えた照明器具であって、反射板２は周縁から反射板２の中心軸方向に向かって下方に傾斜面２ａを有するとともに、凹没部３のランプホルダ４が螺着される螺着部３ａは天井面６と略水平であり、ランプホルダ４へのランプ５の着脱方向と反射板２の傾斜方向とが略平行となるようにランプホルダ４を配置している。【選択図】        図１
2004253327.tif 000002
【特許請求の範囲】
【請求項１】
器具本体と、器具本体に取り付けられ断面略皿状の反射板と、反射板に設けられた凹没部と、凹没部と螺着され断面略Ｃ字状のランプホルダと、ランプホルダに保持される環形蛍光ランプと、を備えた照明器具であって、反射板は周縁から反射板の中心軸方向に向かって下方に傾斜面を有するとともに、凹没部のランプホルダが螺着される螺着部は天井面と略水平であり、ランプホルダへのランプの着脱方向と反射板の傾斜方向とが略平行となるようにランプホルダを断面視にて反射板の傾斜線に近接配置したことを特徴とする照明器具。
【請求項２】
外径の異なる複数の環形蛍光ランプと、各環形蛍光ランプをそれぞれ保持する複数のランプホルダの組と、ランプホルダが螺着される複数の凹没部の組と、を備え、少なくとも第１の環形蛍光ランプを保持するランプホルダの組と、第２の環形蛍光ランプを保持するランプホルダの組と、は同じ凹没部の組に螺着されることを特徴とする請求項１記載の照明器具。
【請求項３】
凹没部とランプホルダとは保持部材によって螺着され、該保持部材の凹没部への突出長は器具本体と螺着部との間の距離よりも短いことを特徴とする請求項１記載の照明器具。
【請求項４】
器具本体と螺着部との間の距離は略５ｍｍ以下であることを特徴とする請求項３記載の照明器具。
【請求項５】
少なくとも１組のランプホルダは、凹没部から反射板の傾斜方向に沿って、反射板に略近接するように延設されていることを特徴とする請求項２記載の照明器具。
【請求項６】
環形蛍光ランプの管径は略１５〜２０ｍｍであることを特徴とする請求項１から５までのいずれか記載の照明器具。
【発明の詳細な説明】
本発明は、環形蛍光ランプ用の照明器具に関する。
【０００１】
【従来の技術】
この種の従来例として、たとえば、特開平７−６６１７号公報に記載のものが挙げられる。この照明器具は図７に示すように、照明器具本体Ａに対する取付け部Ｊ１及び１つの環形ランプに対するソケット部Ｊ２を備えた第１ランプホルダＪＢと、１つの環形ランプに対するソケット部Ｊ３を備えた第２ランプホルダＪＣとのうち、第１ランプホルダＪＢのランプ径方向で相対向する側壁の外面Ｊ１０ａ、Ｊ１０ｂをランプ径方向の外方ほど下方に位置する平行又はほぼ平行な傾斜面に形成するとともに、第２ランプホルダＪＣには、第１ランプホルダＪＢの両傾斜外面Ｊ１０ａ、Ｊ１０ｂに対して選択的に反転付替え可能な取付け部４を形成してある。
【０００２】
このような構成において、照明器具本体Ａに対する取付け部及び１つのソケット部を備えた第１ランプホルダと、１つのソケット部及び第１ランプホルダの傾斜面に対する取付け部を備えた第２ランプホルダといった具合に、小さな２種類のランプホルダを組み合わせるだけで、６２Ｗタイプ、７２Ｗタイプ、１０２Ｗタイプの３種類の照明器具を製作することができるから、部品点数の削減と小型化とによって製造コストの低廉化を促進することができる。
【０００３】
【特許文献】
特開平７−６６１７号公報
【０００４】
【発明が解決しようとする課題】
ところが、上記従来例において、ソケット部Ｊ２及びソケット部Ｊ３を照明器具本体Ａに取り付ける場合には、まず、ソケット部Ｊ２及びソケット部Ｊ３を反射板１７のホルダ用差込口Ｊ１７ａに挿入して、その後ソケット部Ｊ２及びソケット部Ｊ３を取付け部Ｊ１により、照明器具本体Ａに取り付けなければならなかった。このため、照明器具の製造工程等において、ソケット部Ｊ２等の照明器具本体Ａへの装着作業に時間がかかる場合があった。
【０００５】
また、第１ランプホルダＪＢ及び第２ランプホルダＪＣが反射板１７の傾斜面方向に沿って近接配置されていないので、照明器具の高さ方向の厚さを薄型化することができなかった。
【０００６】
本発明は、上記問題点に鑑みてなしたものであり、その目的とするところは、ランプホルダの着脱作業性が向上するとともに、照明器具の高さ方向の厚みが薄型となる照明器具を提供することにある。
【０００７】
【課題を解決するための手段】
請求項１記載の照明器具は、器具本体と、器具本体に取り付けられ断面略皿状の反射板と、反射板に設けられた凹没部と、凹没部と螺着され断面略Ｃ字状のランプホルダと、ランプホルダに保持される環形蛍光ランプと、を備えた照明器具であって、反射板は周縁から反射板の中心軸方向に向かって下方に傾斜面を有するとともに、凹没部のランプホルダが螺着される螺着部は天井面と略水平であり、ランプホルダへのランプの着脱方向と反射板の傾斜方向とが略平行となるようにランプホルダを断面視にて反射板の傾斜線に近接配置したことを特徴とするものである。
【０００８】
このような照明器具においては、凹没部のランプホルダが螺着される螺着部は天井面と略水平なので、ランプホルダを凹没部に装着する作業性が向上するとともに、環形蛍光ランプが断面視にて反射板の傾斜線に近接配置されているので、照明器具の高さ方向の厚みが薄型となる。
【０００９】
請求項２記載の照明器具は、請求項１記載の照明器具において、外径の異なる複数の環形蛍光ランプと、各環形蛍光ランプをそれぞれ保持する複数のランプホルダの組と、ランプホルダが螺着される複数の凹没部の組と、を備え、少なくとも第１の環形蛍光ランプを保持するランプホルダの組と、第２の環形蛍光ランプを保持するランプホルダの組と、は同じ凹没部の組に螺着されることを特徴とするものである。
【００１０】
このような照明器具においては、第１の環形蛍光ランプを保持するランプホルダの組と、第２の環形蛍光ランプを保持するランプホルダの組と、は同じ凹没部の組に螺着されているので、凹没部を共通とし、各環形蛍光ランプに対応して別々に凹没部を設ける必要がなくなる。
【００１１】
請求項３記載の照明器具は、請求項１記載の照明器具において、凹没部とランプホルダとは保持部材によって螺着され、該保持部材の凹没部への突出長は器具本体と螺着部との間の距離よりも短いことを特徴とするものである。
【００１２】
このような照明器具においては、保持部材が挿通する挿通孔を反射板にのみ設ければよい。
【００１３】
請求項４記載の照明器具は、請求項３記載の照明器具において、器具本体と螺着部との間の距離は略５ｍｍ以下であることを特徴とするものである。
【００１４】
このような照明器具においては、器具本体と螺着部との間の距離は略５ｍｍ以下なので、請求項３記載に記載の照明器具よりもさらに照明器具の高さ方向の厚みが薄型となる。
【００１５】
請求項５記載の照明器具は、請求項２記載の照明器具において、少なくとも１組のランプホルダは、凹没部から反射板の傾斜方向に沿って、反射板に略近接するように延設されていることを特徴とするものである。
【００１６】
このような照明器具においては、凹没部から反射板の傾斜方向に沿って、反射板に略近接するように延設されているので、照明器具に外径の異なる複数の環形蛍光ランプが装着された場合において、照明器具の高さ方向の厚みが薄型となる。
【００１７】
請求項６記載の照明器具は、請求項１から５までのいずれか記載の照明器具において、環形蛍光ランプの管径は略１５〜２０ｍｍであることを特徴とするものである。
【００１８】
このような照明器具においては、環形蛍光ランプの管径が小さいので、請求項１から５までのいずれか記載の照明器具よりも、さらに照明器具の高さ方向の厚みが薄型となる。
【００１９】
【発明の実施の形態】
（実施例１）
以下、本発明の第１の実施の形態を図１から図５までを参照して説明する。図１は本実施の形態の分解斜視図を示しており、図２は本実施の形態の要部の斜視図を示している。また、図３は本実施の形態の要部の断面図を示しており、図４は本実施の形態の断面図を示している。さらに、図５は本実施の形態の他の断面図を示している。
【００２０】
以下、各部の構成を説明する。
【００２１】
器具本体１は照明器具全体の基体となるものであり、図示しないネジ止めや引掛シーリングにより天井面６に固定配置される。この器具本体１は略円盤状の板金製であり、中心付近には絶縁板７の楕円柱状孔部７ａの内面と係合するものであって、器具本体１と一体成形又は一体に組み合わされる楕円柱状の係合凸部８が設けられている。この器具本体１を天井面６に設置する際に、スポンジ製やゴム製などの環状の弾性体を器具本体１の上方に全周にわたって設けておくと、この弾性体が天井面６に圧接されて密着性及び防虫性が図ることができる。
【００２２】
受け具９はグローブ１２を保持するものであり、器具本体１の同心円周に配設されている。この受け具９は箱形の金属製であり、グローブ１２の凸部１２ａと係合するＣ字状の係止爪９ａを有している。
【００２３】
絶縁板７は器具本体１と点灯装置１０とを絶縁するものであり、ポリブチレンテレフタレート（ＰＢＴ）等からなる。そして、この絶縁板７は、絶縁板７の中心付近に下方に突出して設けられた楕円柱状の柱状孔部７ａが係合凸部８の内面と係合し、器具本体１に固定される。
【００２４】
点灯装置１０は環形蛍光ランプ５を点灯させるためのものであり、プリント基板（Ｐ板）を有し、Ｐ板上に点灯回路を構成する各種の電子部品が実装配置されている。このＰ板は平面視にて略コ字状であり、器具本体１１と略平行に対向して柱状孔部７ａの周囲に沿って配置されている。また、点灯回路はインバータ回路等であり、環形蛍光ランプ５を、たとえば、４０〜１００ｋＨｚの高周波で点灯させる。
【００２５】
ソケット１１は点灯装置１０からの電力を環形蛍光ランプ５に供給するとともに、環形蛍光ランプ５を固定するものであり、ソケット１１と環形蛍光ランプ５の口金のランプピンとは電気的及び機械的に着脱自在に接続されている。そして、このソケット１１は、反射板２上の凹没部３と略同心円上に設けられたソケット用孔部３ｃを通じて器具本体１に取り付けられる。
【００２６】
反射板２は環形蛍光ランプ５からの光を反射させ、器具本体１の下面方向を効率よく照射するものである。この反射板２は略円盤状の板金製又は合成樹脂製であって、断面は略皿状である。また、反射板２の中心付近には絶縁板７の柱状孔部７ａの外面と係合する楕円状の孔部２ｂが設けられている。
【００２７】
この反射板２を図２及び図３を参照してさらに詳しく説明する。
【００２８】
反射板２は下方に湾曲凸面状に形成されており、周縁から中心軸方向に向かって下方に傾斜面２ａを有している。
【００２９】
傾斜面２ａにはランプホルダ４を取り付けるための凹没部３が設けられており、さらに、凹没部３にはランプホルダ４が螺着される螺着部３ａが設けられている。この螺着部３ａは、天井面６や器具本体１と略平行となっている。
【００３０】
螺着部３ａが天井面６等と略平行なため、作業者が、たとえば、ドライバでねじやボス等の保持部材１３を取り付けるときに、ドライバをいちいち斜めにする必要がなく、垂直に立てて作業すればよいことになる。このため、ランプホルダ４を凹没部３に固定するときの作業性を向上することができる。螺着部３ａは保持部材１３を螺着させうるだけのスペースがあればよく、水平方向にて略１０ｍｍ程度のスペースを設けている。また、この螺着部３ａから天井面６に向かって突出する保持部材１３の突出長は、器具本体１と螺着部３ａとの間の距離よりも短くなるように設定しており、本実施の形態では、器具本体１と螺着部３ａとの間の距離を略５ｍｍ以下として、照明器具の高さ方向の薄型化を図っている。このように保持部材１３が挿通する孔を反射板２の螺着部３ａにのみに設け、器具本体１には設けていないので、照明器具の生産性を向上させることができる。
【００３１】
ランプホルダ４は、環形蛍光ランプ５を着脱自在に保持するものであり、２つのランプホルダ部４ａ及び４ｂをそれぞれ有し、２つのランプホルダ部４ａ及び４ｂともに断面略Ｃ字状に湾曲した板ばねで、可撓性を有している。この２つのランプホルダ部４ａ及び４ｂは、互いに一体成形されていてもよいし、異なる２種類のランプホルダが組み合わされていてもよい。そして、このランプホルダ部４ａ及び４ｂの下方に伸びるアーム部の先端近傍が、凹没部３のランプホルダ部４ａ及び４ｂと螺着部３ａにねじ等で螺着固定されている。
【００３２】
このランプホルダ４のＣ字状の向きは、反射板２の外周に向かっており、このランプホルダ４がＣ字状に屈曲し始める部分が反射板２の凹没部３がないとした場合の反射板２の傾斜線２ｃと略接するように傾斜線２ｃに対して近接配置されている。さらに、環形蛍光ランプ５の着脱方向と傾斜線２ｃとが略平行となるように、ランプホルダ４のＣ字状の向きを傾けている。
【００３３】
環形蛍光ランプ５は、一般形の略２９ｍｍの管径に比べて細い略１６．５ｍｍ（略１５〜２０ｍｍ）の管径のものを用いている。このような管径の細い環形蛍光ランプ５を用いることで、照明器具の高さ方向の薄形化を図ることができる。なお、本実施の形態においては、ランプ電力及び環の外径の異なる２種類の環形蛍光ランプ、すなわち、第１の環形蛍光ランプ５ａ及び第２の環形蛍光ランプ５ｂを用いている。環形蛍光ランプ５ａは環の外径略３００ｍｍ、電気特性は、ランプ電力略３２Ｗ、ランプ電流略５００ｍＡ、ランプ電圧略８０Ｖであり、環形蛍光ランプ５ｂは環の外径略３７０ｍｍ、ランプ電力略４０Ｗ、ランプ電流略４５０ｍＡ、ランプ電圧略１００Ｖである。
【００３４】
グローブ１２は環形蛍光ランプ５等を覆うものであり、下方へ大きな円弧面をもってなだらかに突出する薄型形状に形成されている。このグローブ１２は、透光性を有する乳白色の合成樹脂製であり、グローブ１２の上方内周には、内側方向に向かって突出する四角柱状の凸部１２ａが設けられている。そして、この凸部１２ａと係止爪９ａとがグローブ１２の円周方向に回転することにより係合し、器具本体１とグローブ１２とは着脱自在となっている。
【００３５】
つぎに、上記のような構成における作用効果を図４及び図５を参照して説明する。
【００３６】
図４に示すように、ランプホルダ４がＣ字状に屈曲し始める部分が反射板２の凹没部３がないとした場合の反射板２の傾斜線２ｃと略接するように傾斜線２ｃに対して近接配置されているので、環形蛍光ランプ５がランプホルダ４に装着された場合に、環形蛍光ランプ５ａ及び環形蛍光ランプ５ｂはそれぞれ傾斜線２ｃに対して近接配置されることになる。このため、照明器具の高さ方向の薄形化を図ることができる。
【００３７】
また、環形蛍光ランプ５ａ及び環形蛍光ランプ５ｂそれぞれの着脱方向と傾斜線２ｃとが略平行となるように、ランプホルダ４のＣ字状の向きを傾けているので、ランプホルダ４から環形蛍光ランプ５ａ及び環形蛍光ランプ５ｂをそれぞれ着脱する際に、各環形蛍光ランプを傾斜線２ｃと略平行に移動すればよいことになる。つまり、反射板２の傾斜面２ａと各環形蛍光ランプとが略接する、あるいは、場合によっては各環形蛍光ランプを傾斜面２ａに接触させながら着脱すればよいので、使用者に負担がかかることなく着脱作業性が向上する。
【００３８】
特に、図５に示すように各環形蛍光ランプをそれぞれランプホルダ４に装着するには、各環形蛍光ランプをそれぞれ器具本体１の中心軸方向に、傾斜線２ｃに沿って滑るように移動するだけでよい。このとき、ランプホルダ４のＣ字状に屈曲し始める部分が傾斜線２ｃとほとんど同一直線状に配設されているので、各環形蛍光ランプを装着する際にランプホルダ４がＣ字状に屈曲し始める部分が、各環形蛍光ランプの装着を妨げることがない。
【００３９】
また、ランプホルダ４のＣ字状の向きを傾斜線２ｃと略平行となるように傾けているので、照明器具の高さ方向の厚みを薄型化することができる。
【００４０】
さらに、ランプホルダ４がＣ字状に屈曲し始める部分が傾斜線２ｃと略接するように傾斜線２ｃに対して近接配置しているので、反射板２を器具本体１に取り付ける場合において、ランプホルダ４がＣ字状に屈曲し始める部分が凹没部に引っ掛かることがなく、スムーズに反射板２を取り付けることができる。
【００４１】
（実施例２）
以下、本発明の第２の実施の形態を図６を参照して説明する。図６は本実施の形態の断面図を示している。ここで、第１の実施の形態と同一構成には同一符号を付すことにより説明を省略する。
【００４２】
本実施の形態においては、環の外径が大幅に異なる２種類の環形蛍光ランプ、たとえば、第１の環形蛍光ランプ５ａとして外径略２００ｍｍでランプ電力略２０Ｗのもの、第２の環形蛍光ランプ５ｂとして、外径略３７０ｍｍでランプ電力略４０Ｗのものを対象ランプとしている。
【００４３】
上記のように各ランプの環の外径が大幅に異なる場合において、各ランプホルダを保持する保持部材１３を共通に使用としたときには、凹没部３の大きさを考慮すると、第１の実施の形態のようにランプホルダ４ａ及び４ｂのＣ字状に屈曲し始める部分を傾斜線２ｃと略接するように近接配置することができない。このため、本実施の形態においては、ランプホルダ４ａを傾斜面２ａに沿って反射板２に略近接するように凹没部３の外側であって、器具本体１の中心軸方向に向かって延設している。
【００４４】
このようにランプホルダ４ａを配置すると、各ランプの環の外径が大幅に異なる場合においても照明器具の高さ方向の薄形化を図ることができ、また、反射板２内にランプホルダ４ａが入り込まないため、反射板２内のスペースを有効に利用することができる。
【００４５】
なお、上記説明で特に言及していない作用、効果等は第１の実施の形態と同様である。
【００４６】
【発明の効果】
請求項１記載の照明器具は、凹没部のランプホルダが螺着される螺着部は天井面と略水平なので、ランプホルダを凹没部に装着する作業性が向上するとともに、環形蛍光ランプが断面視にて反射板の傾斜線に近接配置されているので、照明器具の高さ方向の厚みを薄型化することができる。
【００４７】
請求項２記載の照明器具は、請求項１記載の照明器具において、第１の環形蛍光ランプを保持するランプホルダの組と、第２の環形蛍光ランプを保持するランプホルダの組と、は同じ凹没部の組に螺着されているので、凹没部を共通とすることができ、各環形蛍光ランプに対応して別々に凹没部を設ける必要がなくなる。これにより、照明器具のコストダウンを図ることができる。
【００４８】
請求項３記載の照明器具は、請求項１記載の照明器具において、保持部材が挿通する挿通孔を反射板にのみ設ければよく、挿通孔を器具本体と反射板とにそれぞれ設ける必要がない。したがって、照明器具の製造工程を簡略化することができ、照明器具の生産性を向上することができる。
【００４９】
請求項４記載の照明器具は、請求項３記載の照明器具において、器具本体と螺着部との間の距離は略５ｍｍ以下なので、請求項３記載に記載の照明器具よりもさらに、照明器具の高さ方向の厚みを薄型化することができる。
【００５０】
請求項５記載の照明器具は、請求項２記載の照明器具において、少なくとも１組のランプホルダは、凹没部から反射板の傾斜方向に沿って、反射板に略近接するように延設されているので、照明器具に外径の異なる複数の環形蛍光ランプが装着された場合においても、照明器具の高さ方向の厚みを薄型化することができる。
【００５１】
請求項６記載の照明器具は、請求項１から５までのいずれか記載の照明器具において、環形蛍光ランプの管径は略１５〜２０ｍｍと小さいので、請求項１から５までのいずれか記載の照明器具よりも、さらに、照明器具の高さ方向の厚みを薄型化することができる。
【図面の簡単な説明】
【図１】第１の実施の形態を示す分解斜視図である。
【図２】第１の実施の形態の要部を示す斜視図である。
【図３】第１の実施の形態の要部を示す断面図である。
【図４】第１の実施の形態の作用効果を示す断面図である。
【図５】第１の実施の形態の作用効果を示す他の断面図である。
【図６】第２の実施の形態を示す断面図である。
【図７】従来例の照明器具を示す断面図である。
【符号の説明】
１              器具本体
２              反射板
２ａ            傾斜面
２ｃ            傾斜線
３              凹没部
３ａ            螺着部
３ｃ            ソケット用孔部
４、４ａ、４ｂ  ランプホルダ
５              環形蛍光ランプ
５ａ            第１の環形蛍光ランプ
５ｂ            第２の環形蛍光ランプ
６              天井面
１３            保持部材
【図１】
2004253327.tif 000003
【図２】
2004253327.tif 000004
【図３】
2004253327.tif 000005
【図４】
2004253327.tif 000006
【図５】
2004253327.tif 000007
【図６】
2004253327.tif 000008
【図７】
2004253327.tif 000009